(57)【特許請求の範囲】
【請求項１】
土壌消毒用の蒸気を作成するボイラー装置と、このボイラー装置からの蒸気と水とを混合させて湯水を作成し、かつ、作成した湯水を栽培ハウス用の加温装置の熱媒受け入れ部に熱媒体として供給する湯水送り出し部、および、前記加温装置の熱媒排出部からの湯水を前記ボイラー装置からの蒸気と混合させるべく受け入れる湯水受け入れ部を備えている湯水作成装置と、この湯水作成装置の余剰湯水と水とを混合させて灌漑温水を作成する灌漑温水作成装置とを備え、
前記湯水作成装置に、前記湯水送り出し部および前記湯水受け入れ部を有する貯湯タンクと、前記ボイラー装置からの蒸気と水とを混合させて湯水を作成するように前記貯湯タンクの内部に配置した混合部とを備え、
前記ボイラー装置からの蒸気を前記貯湯タンクに供給する分岐供給管の前記貯湯タンクの内部に位置する部位に設けた複数個の蒸気排出口と、前記複数個の蒸気排出口からの蒸気を前記貯湯タンクの内部に下降させるように、前記複数個の蒸気排出口に上端側が連通し、下端側が前記貯湯タンクの内部に開口した貯湯タンク上下向きの吐出筒と、前記吐出筒の外周面側を覆うように前記貯湯タンクの内部に貯湯タンク上下向きに配置したエジェクタ筒とを備えて、かつ前記吐出筒の下端を前記エジェクタ筒の内部に位置させて、さらに前記吐出筒の外周面側と前記エジェクタ筒の内周面側との間に、間隙を前記エジェクタ筒の上端側および下端側で前記貯湯タンクの内部に開口した状態で形成して、前記混合部を構成してある栽培補助装置。
【請求項２】
前記湯水作成装置の余剰湯水を前記ボイラー装置にボイラー原水として還元する還元装置を備えてある請求項１記載の栽培補助装置。
【発明の詳細な説明】
【０００１】
【発明の属する技術分野】
本発明は、野菜などの作物の栽培が有利にできるように、その栽培を補助する装置に関する。
【０００２】
【従来の技術】
栽培地の土壌を蒸気によって消毒すると、病菌や雑菌が死滅して連作できるなど有利に栽培できる。しかも、臭化メチルで消毒する場合のように地球環境に悪影響が出ることを回避しながら消毒できる。
また、季節や気温によっては、温水で灌漑をするとか、栽培ハウスの内部を加温することにより、作物の生育を促進させるなど有利に栽培できる。
土壌の消毒には栽培ハウスの加温よりも高温が必要であり、栽培ハウスの加温には温水灌漑よりも高温が必要である。
このため、従来、土壌消毒を行うには、培地に蒸気を放出して土壌消毒する消毒装置にボイラー装置を接続して消毒用の蒸気を供給することによって行われていた。栽培ハウスを加温するには、栽培ハウスにハウス内気を加温するバーナなどの発熱装置を設置したり、ハウス内気を加温する加温装置に暖房室外機を接続して熱媒体を循環供給することによって行われていた。温水灌漑を行うには、冷水を発熱装置で加熱して灌漑用の温水を作成することによって行われていた。
【０００３】
【発明が解決しようとする課題】
従来、土壌消毒とハウス加温と温水灌漑の３種の処理を行う場合も、２種の処理を行う場合も、それ専用の発熱源を有する装置を準備する必要があり、コスト高になっていた。
本発明は、土壌消毒とハウス加温と温水灌漑の３種の処理が安価に行える栽培補助装置を提供することにある。
【０００４】
【課題を解決するための手段】
請求項１による発明の構成、作用、効果はつぎのとおりである。
【０００５】
〔構成〕
土壌消毒用の蒸気を作成するボイラー装置と、このボイラー装置からの蒸気と水とを混合させて湯水を作成し、かつ、作成した湯水を栽培ハウス用の加温装置の熱媒受け入れ部に熱媒体として供給する湯水送り出し部、および、前記加温装置の熱媒排出部からの湯水を前記ボイラー装置からの蒸気と混合させるべく受け入れる湯水受け入れ部を備えている湯水作成装置と、この湯水作成装置の余剰湯水と水とを混合させて灌漑温水を作成する灌漑温水作成装置とを備え、
前記湯水作成装置に、前記湯水送り出し部および前記湯水受け入れ部を有する貯湯タンクと、前記ボイラー装置からの蒸気と水とを混合させて湯水を作成するように前記貯湯タンクの内部に配置した混合部とを備え、
前記ボイラー装置からの蒸気を前記貯湯タンクに供給する分岐供給管の前記貯湯タンクの内部に位置する部位に設けた複数個の蒸気排出口と、前記複数個の蒸気排出口からの蒸気を前記貯湯タンクの内部に下降させるように、前記複数個の蒸気排出口に上端側が連通し、下端側が前記貯湯タンクの内部に開口した貯湯タンク上下向きの吐出筒と、前記吐出筒の外周面側を覆うように前記貯湯タンクの内部に貯湯タンク上下向きに配置したエジェクタ筒とを備えて、かつ前記吐出筒の下端を前記エジェクタ筒の内部に位置させて、さらに前記吐出筒の外周面側と前記エジェクタ筒の内周面側との間に、間隙を前記エジェクタ筒の上端側および下端側で前記貯湯タンクの内部に開口した状態で形成して、前記混合部を構成してある栽培補助装置。
【０００６】
〔作用〕
ボイラー装置を消毒装置に接続することにより、ボイラー装置が作成する消毒用の蒸気を消毒装置に供給して土壌に放出させられる。
湯水作成装置の湯水送り出し部を前記加温装置の熱媒受け入れ部に、湯水受け入れ部を加温装置の熱媒排出部にそれぞれ接続する。すると、湯水作成装置がボイラー装置からの蒸気と水とを混合させてボイラー装置からの蒸気を熱源にして湯水を作成し、作成した湯水を熱媒体として加温装置に循環供給し、加温装置が湯水作成装置からの湯水の熱によってハウス内を加温する。
【０００７】
〔効果〕
ボイラー装置から消毒用の蒸気を得て土壌消毒ができ、湯水作成装置から湯水を熱媒体として加温装置に循環供給してハウス内加温ができる。
その割には、ボイラー装置が消毒用に作成する蒸気を熱源に利用して加温用湯水を作成するから、加温用湯水を作成する熱源としてのバーナなどの特別な発熱装置を省略したり、省略できないとしても小型の発熱装置を補助的に設けるだけで済んで安価にできる。
【０００８】
【０００９】
【００１０】
【００１１】
【００１２】
【００１３】
【００１４】
〔作用〕
灌漑温水作成装置が湯水作成装置からの余剰湯水と水とを混合させて湯水作成装置からの余剰湯水を熱源にして灌漑用の温水を作成し、この温水を灌漑に使用することによって温水灌漑を行うことになる。
【００１５】
〔効果〕
湯水作成装置からの余剰湯水を熱源に利用して灌漑温水を作成するから、加温用湯水を作成する熱源や、灌漑温水を作成する熱源としてのバーナなどの特別な発熱装置を省略したり、省略できないとしても小型の発熱装置を補助的に設けるだけで済んで安価にできる。
【００１６】
【００１７】
【００１８】
〔作用〕
ボイラー装置からの蒸気が貯湯タンクのタンク内水に直接に混入すると、蒸気が急激に温度変化して異常音を発生させながら液化する。これに対し、ボイラー装置からの蒸気が吐出筒を通り、この吐出筒の外側でエジェクタ筒の内部に存在するタンク内水との熱交換によって冷却されながらエジェクタ筒の内部に噴出され、タンク内水に混入する際の急激な温度変化を抑制され、異常音の発生を抑制されながらタンク内水に混入して液化する。また、蒸気がエジェクタ筒の内部に噴出されてエジェクト作用を発揮し、エジェクタ筒の内部にタンク内水を流動させる。すると、ボイラー装置から蒸気が吐出筒を通過する際、常に吐出筒の外側のタンク内水との熱交換による冷却が効率よく行われながら通過し、エジェクタ筒の内部に噴出されてタンク内水に混入する蒸気は、その混入に伴う急激な温度変化を効果的に抑制され、常に異常音の発生を抑制した状態でタンク内水に混入して液化する。
【００１９】
〔効果〕
ボイラー装置からの蒸気がタンク内水に混入して液化する際の異常発生を抑制し、蒸気を熱源に利用してハウス加温が安価に行えるものを極力静かに稼動できる状態に得られる。
【００２０】
請求項２による発明の構成、作用、効果はつぎのとおりである。
【００２１】
〔構成〕
請求項１による発明の構成において、前記湯水作成装置の余剰湯水を前記ボイラー装置にボイラー原水として還元する還元装置を備えてある。
【００２２】
〔作用〕
湯水作成装置からの余剰湯水を還元装置によってボイラー装置にボイラー原水として還元する。湯水作成装置は、ボイラー装置からの蒸気を復水させて異物の混入が少ない状態にして湯水を作成する。これにより、ボイラー装置や軟水機に異物を入り込みにくくしながらボイラー装置に給水できる。
【００２３】
〔効果〕
ボイラー装置や軟水機に異物が入り込みにくく、故障しにくくしたり、メンテナンスの回数を少なく済ませながらボイラー装置を稼動させられる。
【００２４】
【発明の実施の形態】
図１に示すように、ボイラー本体２を備えるボイラー装置１と、このボイラー装置１の蒸気供給管３の分岐供給管４が接続している貯湯タンク１１を備える湯水作成装置１０と、前記貯湯タンク１１からの湯水供給管１２が接続している灌漑温水作成装置２０と、この灌漑温水作成装置２０をボイラー装置１の原水取り入れ管５の途中に接続している還元本管３１を備える還元装置３０とによって栽培補助装置を構成してある。
この栽培補助装置は、栽培ハウスで野菜などを連作できるとか促成栽培できるなど有利に栽培できるように土壌消毒、ハウス内加温、温水灌漑を行うためのものであり、詳しくは、次の如く構成してある。
【００２５】
ボイラー装置１は、前記ボイラー本体２と、灯油や重油を燃料とするバーナ６とによって構成してあるとともに、ボイラー本体２の原水受け入れ部に接続している前記原水取り入れ管５と、ボイラー本体２の蒸気排出部から延出している前記蒸気供給管３とを備えている。原水取り入れ管５は、これの原水取り入れ口５ａとボイラー本体の原水受け入れ部との間に位置する原水ポンプＰ１、軟水タンク７、軟水機８、電磁弁Ｖ１を備え、原水ポンプＰ１によるポンプ作用により、ボイラー原水を原水取り入れ口５ａから取り入れて軟水機８で軟水化処理してから軟水タンク７に貯溜し、この軟水タンク７からボイラー本体２に供給する。
【００２６】
ボイラー本体２は、軟水タンク７から供給されるボイラー原水をバーナ６による加熱によって土壌消毒用の１００〜１２０度Ｃの蒸気にし、作成した蒸気を前記蒸気供給管３に送り出す。
【００２７】
前記蒸気供給管３は、これの蒸気排出口３ａとボイラー本体の蒸気排出部との間に位置する電磁弁Ｖ２と、この電磁弁Ｖ２とボイラー本体の蒸気排出部との間で分岐するとともに電磁弁Ｖ３を有する前記分岐供給管４とを備えている。前記蒸気排出口３ａは、図１に示す如き消毒装置４０から延出する蒸気供給ホース４１を接続することによって、消毒装置４０に連通する。
【００２８】
図１に示すように、消毒装置４０は、前記蒸気供給ホース４１に蒸気取り入れ部が接続する分配管４２と、この分配管４２の複数の蒸気排出部に各別に接続する複数本の蒸気放出管４３とによって構成してある。分配管４２は、蒸気供給ホース４１からの蒸気を複数本の蒸気放出管４３に分配供給し、各蒸気放出管４３は、供給された蒸気を蒸気放出管４３の長手方向に並んでいる図５の如き放出孔４３ａから土壌に放出する。これにより、消毒装置４０は、ボイラー装置１から供給される消毒用の蒸気を土壌に放出し、土壌を蒸気によって加熱して病菌や雑菌が死滅するように消毒する。
【００２９】
湯水作成装置１０は、前記分岐供給管４がタンク内の上部に入り込んでいる前記貯湯タンク１１と、このタンク内の上部に配置してある混合部１３とによって構成してあるとともに、貯湯タンク１１の配置レベルが異なる3個所に設けた湯水送り出し部１４と、湯水受け入れ部１５と、余剰湯水排出部１６とを備えている。
【００３０】
図２に明示するように、前記混合部１３は、前記分岐供給管４の貯湯タンク１１の内部に位置する端部に上端側が連結している偏平な角筒体で成る吐出筒１７と、この吐出筒１７の外周面側の吐出筒周方向に分散している複数個所に連結しているスペーサ１８に内周面側が連結している偏平な角筒体で成るエジェクタ筒１９とによって構成してある。吐出筒１７の上端側が、分岐供給管４の複数個の貫通孔で成る蒸気排出口４ａに連通し、下端側が、エジェクタ筒１９の内部に開口している。エジェクタ筒１９は、吐出筒１７の外周面側との間に前記スペーサ１８の長さによって決まる大きさの間隙Ｄを有する状態で吐出筒１７の外面側を覆っているとともに、上端側でも下端側でも貯湯タンク１１の内部に開口している。吐出筒１７は、分岐供給管４の蒸気排出口４ａからの蒸気を吐出筒１７の内部で吐出筒１７の周りに存在するタンク内水との熱交換によって冷却させながら下降させ、吐出筒１７の下端でエジェクタ筒の内部に噴出させてタンク内水に混合させ、蒸気を液化させるとともに蒸気を熱源にしてタンク内水を加熱して、約８０度Ｃの湯水を作成する。また、蒸気がエジェクタ筒１９の内部に噴出してエジェクト作用を発揮し、これにより、タンク内水がエジェクタ筒１９の内部の前記隙間Ｄをエジェクタ筒１９の上端側から下端側に流れる水流が生じ、吐出筒１７の周りには常に比較的低温のタンク内水が存在して、吐出筒１７の内部を下降する蒸気を効果的に冷却させる。
【００３１】
貯湯タンク１１の前記湯水送り出し部１４は、栽培ハウスの内部に設置される加温装置５０の熱媒受け入れ部５１から延出する湯水送り管５２を接続し、前記湯水受け入れ部１５は、前記加温装置５０の熱媒排出部５３から延出する湯水戻し管５４を接続するように構成してある。これらの管接続を行うと、湯水送り出し部１４は、湯水送り管５２および湯水戻し管５４が備えている循環ポンプＰ２のポンプ作用により、貯湯タンク１１の約８０度Ｃの湯水を加温装置５０の前記熱媒受け入れ部５１に加温用熱媒体として供給し、湯水受け入れ部１５は、前記熱媒循環ポンプＰ２のポンプ作用により、前記加温装置５０の前記熱媒排出部５３からの湯水を貯湯タンク１１に戻してボイラー装置１からの蒸気と混合させるべく受け入れる。
【００３２】
加温装置５０は、前記熱媒受け入れ部５１を一端側に、前記熱媒排出部５３を他端側に備えるとともにそれらの間に多数の放熱板５５を備える放熱管で成り、湯水送り管５２からの約８０度Ｃの湯水を前記熱媒ポンプＰ２のポンプ作用によって熱媒受け入れ部５１から熱媒排出部５３に流動させて、湯水の熱を放熱板５５からハウス内に放出し、この放熱によって約５０度Ｃに温度低下した湯水を熱媒排出部５３から排出していくことにより、栽培ハウスを加温する。
【００３３】
貯湯タンク１１の前記余剰湯水排出部１６は、前記湯水供給管１２によって灌漑温水作成装置２０に接続している。
【００３４】
これにより、湯水作成装置１０は、ボイラー装置１から供給される１００〜１２０度Ｃの蒸気を混合部１３で貯湯タンク１１のタンク内水に吐出させて蒸気とタンク内水とを混合させ、蒸気を復水させるとともに蒸気を熱源にしてタンク内の低温の水や湯水を加熱して約８０度Ｃの高温湯水を作成し、この高温湯水を湯水送り出し部１４から加温装置５０の熱媒受け入れ部５１に加温用熱媒体として供給し、加温装置５０の熱媒排出部５３から排出される約５０度Ｃの湯水を湯水受け入れ部１５によって貯湯タンク１１に受け入れてボイラー装置１からの蒸気によって再度加熱処理する。そして、ボイラー装置１から蒸気が供給されるに伴い、貯湯タンク１１のタンク内湯量が加温装置５０に循環供給するのに必要なものとして設定してある設定湯量以上になると、水位センサーＳ１による検出結果に基づいて給湯ポンプＰ３が自動的に駆動され、給湯ポンプＰ３のポンプ作用によって余剰分の５０〜８０度Ｃの湯水が貯湯タンク１１から湯水供給管１２を介して灌漑温水作成装置２０に供給される。
【００３５】
灌漑温水作成装置２０は、前記湯水供給管１２が接続しているとともに給水管２１が接続している灌漑温水タンクによって構成してあり、湯水供給管１２によって前記湯水作成装置１０の貯湯タンク１１から供給される余剰湯水と、給水管２１によって供給される冷水とをタンク内で混合させて貯湯タンク１１からの余剰湯水を冷却させ、貯湯タンク１１からの５０〜８０度Ｃの余剰湯水を熱源にして給水管２１からの冷却水を昇温させることによって、２３〜２７度Ｃの灌漑温水を作成して貯溜する。
【００３６】
前記灌漑温水作成装置２０を構成している温水タンクの余剰温水排出部に接続している前記還元本管３１と、この還元本管３１の還元ポンプＰ４と電磁弁Ｖ４との間に接続しているとともに電磁弁Ｖ５を備えている温水取り出し管２２とにより、灌漑温水供給装置２０の温水取り出し部２３を構成してある。灌漑温水作成装置２０が作成して貯溜する灌漑温水が設定貯溜量以上になると、水位センサーＳ２による検出結果に基づいて還元ポンプＰ４が自動的に駆動され、この還元ポンプＰ４の作用によって２３〜２７度Ｃの灌漑温水が灌漑温水作成装置２０から還元本管３１に取り出され、その灌漑温水を温水取り出し管２２から灌漑用のホースや散布装置などに取り出せる。
【００３７】
前記還元装置３０は、前記貯湯タンク１１を灌漑温水作成装置２０に接続しているとともに前記給湯ポンプＰ３や、逆止弁Ｖ６を備えている前記湯水供給管１２と、前記灌漑温水作成装置２０と、この灌漑温水作成装置２０の余剰温水排出部に接続しているとともに前記還元ポンプＰ３を備えている前記還元本管３１とによって構成してある。すなわち、湯水作成装置１０が作成して貯溜する湯水が前記設定湯量以上になり、かつ、灌漑温水作成装置２０が作成して貯溜する温水が設定貯溜量以上になると、湯水作成装置１０からの余剰湯水を給湯ポンプＰ３と還元ポンプＰ４との作用によって前記原水取り入れ管５に供給することによって、ボイラー装置１のボイラー本体２にボイラー原水として供給する。
【００３８】
つまり、原水取り入れ管５の原水取り入れ口５ａを水道水路や井戸とかの給水源に接続してボイラー装置１を稼動させると、このボイラー装置１は、ボイラー本体２で土壌消毒用の蒸気を作成する。
そして、土壌消毒を行うには、ボイラー装置１の蒸気供給管３の蒸気排出口３ａに前記蒸気供給ホース４１を接続して蒸気供給管３の電磁弁Ｖ２を開き側に切り替える。すると、ボイラー装置１が消毒用の１００〜１２０度Ｃの蒸気を消毒装置４０に供給し、この消毒装置４０が蒸気を土壌に放出して消毒処理を行う。
【００３９】
栽培ハウスの加温や温水灌漑を行うには、湯水作成装置１１の湯水送り出し部１４に前記湯水送り管５２を、湯水受け入れ部１５に前記湯水戻し管５４をそれぞれ接続して分岐供給管４の電磁弁Ｖ３を開き側に切り替える。すると、ボイラー装置１が１００〜１２０度Ｃの蒸気を湯水作成装置１０に供給し、この湯水作成装置１０がボイラー装置１からの蒸気と貯湯タンク１１のタンク内水とによって約８０度Ｃの湯水を作成し、この湯水を循環ポンプＰ２の作用によって湯水送り管５２と湯水戻し管５４とを介して加温装置５０に加温用熱媒体として循環供給し、加温装置５０が湯水作成装置１０からの湯水の熱エネルギーによってハウス内を加温する。これとともに、湯水作成装置１０が５０〜８０度Ｃの余剰湯水を給湯ポンプＰ３の作用によって湯水供給管１２を介して灌漑温水作成装置２０に供給し、この灌漑温水作成装置２０が、湯水作成装置１０からの湯水と給水管２１からの冷水とによって２３〜２７度Ｃの灌漑温水を作成して貯溜する。灌漑温水作成装置２０が貯溜する温水量が設定量以上になると、その灌漑温水を還元装置３０が還元ポンプＰ４によってボイラー装置１にボイラー原水として還元する。このとき、還元本管３１の電磁弁Ｖ４を閉じ操作するとともに温水取り出し部２３の電磁弁Ｖ５を開き操作することにより、灌漑温水作成装置２０からの灌漑温水が温水取り出し管２２に供給され、この温水取り出し管２２から取り出したり、散布装置などに供給して栽培地に灌漑できる。
【００４０】
〔別実施形態〕
【００４１】
【００４２】
【００４３】
図４は、別の実施形態を備える栽培補助装置を示し、この栽培補助装置は、ボイラー本体２を備えるボイラー装置１と、このボイラー装置１の原水取り入れ管５の分岐管５ｂが接続している湯水作成装置本体１１を備える湯水作成装置１０と、前記湯水作成装置本体１１からの湯水供給管１２が接続している灌漑温水作成装置２０と、この灌漑温水作成装置２０をボイラー装置１の原水取り入れ管５の途中に接続している還元本管３１を備える還元装置３０とによって構成してある。この栽培補助装置は、土壌消毒、ハウス内加温、温水灌漑を行うためのものであり、詳しくは次の如く構成してある。
【００４４】
ボイラー装置１は、前記ボイラー本体２と、灯油や重油を燃料とするバーナ６とによって構成してあるとともに、ボイラー本体２の原水受け入れ部に接続している前記原水取り入れ管５と、ボイラー本体２の蒸気排出部から延出している蒸気供給管３とを備えている。原水取り入れ管５は、これの原水取り入れ口５ａとボイラー本体の原水受け入れ部との間に位置する原水ポンプＰ１、供給切り換え弁Ｖ７、軟水タンク７、軟水機８、電磁弁Ｖ１を備え、原水ポンプＰ１によるポンプ作用により、原水を原水取り入れ口５ａから取り入れて軟水機８で軟水化処理してから軟水タンク７に貯溜し、この軟水タンク７からボイラー本体２に供給したり、分岐管５ｂから湯水作成装置本体１１に供給する。
【００４５】
ボイラー本体２は、軟水タンク７から供給されるボイラー原水をバーナ６による加熱によって土壌消毒用の１００〜１２０度Ｃの蒸気にし、作成した蒸気を前記蒸気供給管３に送り出す。
【００４６】
蒸気供給管３は、これの蒸気排出口３ａとボイラー本体２の蒸気排出部との間に位置する電磁弁Ｖ２を備えている。前記蒸気排出口３ａは、図１に示す消毒装置４０と同様の消毒装置４０から延出する蒸気供給ホース４１を接続することによって、消毒装置４０に連通する。
【００４７】
これにより、蒸気供給管３の蒸気排出口３ａに前記蒸気供給ホース４１を接続することにより、ボイラー装置１は、ボイラー本体２で作成した蒸気を蒸気供給管３から消毒装置４０に供給する。
【００４８】
湯水作成装置１０は、前記分岐管５ｂが原水取り入れ部に接続している前記湯水作成装置本体１１と、灯油や重油を燃料とするバーナ１０ａとによって構成してあるとともに、湯水作成装置本体１１の配置レベルが異なる3個所に設けた湯水送り出し部１４と、湯水受け入れ部１５と、余剰湯水排出部１６とを備えている。
【００４９】
湯水作成装置本体１１は、分岐管５ｂから供給される原水をバーナ１０ａによる加熱によって約８０度Ｃの湯水にし、この高温湯水を貯溜する。
【００５０】
湯水作成装置本体１１の前記湯水送り出し部１４、湯水受け入れ部１５、余剰湯水排出部１６は、図１の貯湯タンク１１のそれらと同様に構成してある。すなわち、湯水送り出し部１４は、栽培ハウスの内部に設置される図１の加温装置５０と同様の加温装置５０の熱媒受け入れ部５１から延出する湯水送り管５２を接続し、湯水受け入れ部１５は、前記加温装置５０の熱媒排出部５３から延出する湯水戻し管５４を接続する。これらの管接続を行うと、湯水送り出し部１４は、湯水送り管５２および湯水戻し管５４が備えている循環ポンプＰ２のポンプ作用により、湯水作成装置本体１１の内部から約８０度Ｃの湯水を加温装置５０の前記熱媒受け入れ部５１に加温用熱媒体として供給し、湯水受け入れ部１５は、前記熱媒循環ポンプＰ２のポンプ作用により、前記加温装置５０の前記熱媒排出部５３からの湯水を湯水作成装置本体１１に戻してバーナ１０ａによって再加熱するべく受け入れる。余剰湯水排出部１６は、前記湯水供給管１２によって灌漑温水作成装置２０に接続している。
【００５１】
灌漑温水作成装置２０は、図１の灌漑温水作成装置２０と同様に構成してある。
【００５２】
還元装置３０は、図１の栽培補助装置の還元装置３０と同様に構成してある。
【００５３】
灌漑温水作成装置２０の温水取り出し部２３は、図１に示す灌漑温水作成装置２０のそれと同様に構成してある。
【００５４】
つまり、原水取り入れ管５の原水取り入れ口５ａを水道水路や井戸とかの給水源に接続する。
そして、土壌消毒を行うには、供給切り換え弁Ｖ７を軟水タンク７がボイラー本体２に連通する状態に切り替えてボイラー装置１を稼動させ、ボイラー装置１の蒸気供給管３の蒸気排出口３ａに前記蒸気供給ホース４１を接続して蒸気供給管３の電磁弁Ｖ２を開き側に切り替える。すると、ボイラー装置１がボイラー本体２で土壌消毒用の１００〜１２０度Ｃの蒸気を作成して蒸気供給管３から消毒装置４０に供給し、この消毒装置４０が蒸気を土壌に放出して消毒処理を行う。
【００５５】
栽培ハウスの加温や温水灌漑を行うには、供給切り換え弁Ｖ７を軟水タンク７が湯水作成装置本体１１に連通する状態に切り替えて湯水作成装置１０を稼動させ、湯水作成装置１１の湯水送り出し部１４に前記湯水送り管５２を、湯水受け入れ部１５に前記湯水戻し管５４をそれぞれ接続する。すると、湯水作成装置１０が軟水タンク７からの原水をバーナ１０ａで加熱して約８０度Ｃの湯水を作成し、この湯水を循環ポンプＰ２の作用によって湯水送り管５２と湯水戻し管５４とを介して加温装置５０に加温用熱媒体として循環供給し、加温装置５０が湯水作成装置１０からの湯水の熱エネルギーによってハウス内を加温する。これとともに、湯水作成装置１０が５０〜８０度Ｃの余剰湯水を給湯ポンプＰ３の作用によって湯水供給管１２を介して灌漑温水作成装置２０に供給し、この灌漑温水作成装置２０が、湯水作成装置１０からの湯水と給水管２１からの冷水とによって２３〜２７度Ｃの灌漑温水を作成して貯溜する。灌漑温水作成装置２０が貯溜する温水量が設定量以上になると、その灌漑温水を還元装置３０が還元ポンプＰ４によって原水取り入れ管５の軟水機８よりも上流側に供給することによって湯水作成装置１０に原水として還元する。このとき、還元本管３１の電磁弁Ｖ４を閉じ操作するとともに温水取り出し部２３の電磁弁Ｖ５を開き操作することにより、灌漑温水作成装置２０からの灌漑温水が温水取り出し管２２に供給され、この温水取り出し管２２から取り出したり、散布装置などに供給して栽培地に灌漑できる。
【００５６】
ハウス加温の湯水を作成する熱源と、灌漑温水を作成する熱源とを兼用してハウス加温と温水灌漑とを可能にするに当たり、湯水作成装置１０として、加熱用バーナ１０ａと、このボイラー１０ａで加熱される貯湯タンクでなる湯水作成装置本体１１とを有するものを採用する他、加温用熱媒としての湯水を作成するボイラー装置を採用して実施してもよい。従って、これら、貯湯タンク式も、ボイラー式も総称して湯水作成装置１０と呼称する。
【００５７】
図６は、別の実施形態を備える加温装置５０を示し、この加温装置５０は、前記湯水送り管５２からの湯水を受け入れる熱媒受け入れ部５１を一端側に、この熱媒受け入れ部５１からの湯水を前記湯水戻し管５４に排出する熱媒排出部５３を他端側に備えるとともにそれらの間に放熱フィン５５を備える熱交換パイプ５６と、この熱交換パイプ５６の一方の側面側から他方に送風することによって温風を栽培ハウスに供給する回転ファン５７とによって構成してある。
【図面の簡単な説明】
【図１】  栽培補助装置全体の概略図
【図２】  湯水作成装置の混合部の縦断面図
【図３】  湯水作成装置の混合部の横断面図
【図４】  別の実施形態を備える栽培補助装置の全体の概略図
【図５】  消毒装置の使用状態での断面図
【図６】  別の実施形態を備える加温装置の断面図
【符号の説明】
１    ボイラー装置
４ 分岐供給管
４ａ 蒸気排出口
１０    湯水作成装置
１１    貯湯タンク
１３    混合部
１４    湯水送り出し部
１５    湯水受け入れ部
１７    吐出筒
１９    エジェクタ筒
２０    灌漑温水作成装置
３０    還元装置
５０    加温装置
５１    熱媒受け入れ部
５３    熱媒排出部
Ｄ      間隙
【図１】
0004392918.tif 000002
【図２】
0004392918.tif 000003
【図３】
0004392918.tif 000004
【図４】
0004392918.tif 000005
【図５】
0004392918.tif 000006
【図６】
0004392918.tif 000007